(57)【特許請求の範囲】
【請求項１】
本体ゴム弾性体で弾性連結された第１の取付部材および第２の取付部材と、
前記第２の取付部材によって支持された仕切部材と、
前記仕切部材を挟んだ一方の側に位置して壁部の一部が該本体ゴム弾性体によって構成されて非圧縮性流体が封入された受圧室と、
前記仕切部材を挟んだ他方の側に位置して壁部の一部が可撓性膜で構成されて前記非圧縮性流体が封入された平衡室と、
前記仕切部材の外周部分を周方向に延びて前記受圧室と前記平衡室の間の流体流動を許容する第１のオリフィス通路と、
前記仕切部材の中央部分に設けられた透孔に配設されて前記受圧室と前記平衡室の圧力が両側面に及ぼされる可動ゴム膜と、を備えている流体封入式防振装置において、
前記仕切部材の前記透孔を画成する内周壁部には、前記第１のオリフィス通路を前記受圧室に連通する開口窓が貫設されている一方、
前記可動ゴム膜の外周縁部には、前記平衡室側に向かって延びる筒状の周壁部が設けられており、該周壁部が前記開口窓内に嵌入されることなく前記仕切部材の前記内周壁部の内周面に対して重ね合わされて密接されることで該開口窓が該周壁部により覆蓋されていると共に、該周壁部の平衡室側端部が該仕切部材に固定されている一方、該周壁部の受圧室側端部が該可動ゴム膜の平衡室側への弾性変形に伴い該透孔の内周側に倒れ変形可能とされており、
前記受圧室に所定値以上の圧力変動が生じた際に、前記可動ゴム膜の前記周壁部の受圧室側端部が前記透孔の内周側に倒れ変形して前記第１のオリフィス通路が前記開口窓を通じて前記受圧室に連通されるようになっていることを特徴とする流体封入式防振装置。
【請求項２】
前記周壁部の受圧室側端面が前記仕切部材に非当接状態とされており、前記周壁部の前記受圧室側端部が前記透孔の内周側に倒れ変形するに際しての該周壁部の該受圧室側端面の該仕切部材への干渉が回避されるようになっている請求項１に記載の流体封入式防振装置。
【請求項３】
前記可動ゴム膜の前記周壁部の内周側には、前記透孔の内周側へ倒れ変形した該周壁部の該受圧室側端部が当接することで該可動ゴム膜の倒れ変形量を規制する当接部が前記仕切部材において設けられている請求項１又は２に記載の流体封入式防振装置。
【請求項４】
前記仕切部材が、前記仕切部材の前記透孔を前記受圧室側および前記平衡室側の少なくとも一方から覆い、前記可動ゴム膜に対して隙間を隔てて対向配置されるカバー壁部を有しており、該カバー壁部に貫設された貫通孔により第２のオリフィス通路が形成されていると共に、該第２のオリフィス通路を通じて前記可動ゴム膜に対して前記受圧室および平衡室の少なくとも一方の圧力が及ぼされるようになっている請求項１〜３の何れか１項に記載の流体封入式防振装置。
【請求項５】
前記仕切部材が、前記仕切部材の前記透孔を前記平衡室側から覆い、前記可動ゴム膜に対して隙間を隔てて対向配置される平衡室側カバー壁部を有しており、該平衡室側カバー壁部には、前記可動ゴム膜の前記周壁部の前記平衡室側端部が嵌め入れられて固定される嵌合溝が形成されている一方、該可動ゴム膜には、前記平衡室側カバー壁部に向かって突出するストッパ突起が設けられている請求項４に記載の流体封入式防振装置。
【発明の詳細な説明】
【技術分野】
【０００１】
本発明は、受圧室と平衡室を連通するオリフィス通路を通じての流体の流動作用により防振効果を得るようにした流体封入式防振装置に係り、特に、入力される振動に応じて防振特性を切り換えることの出来る流体封入式防振装置に関するものである。
【背景技術】
【０００２】
従来から、振動伝達系を構成する部材間に介装されて、それら振動伝達系を構成する部材を相互に防振連結乃至は防振支持する防振装置の一種として、内部に封入された非圧縮性流体の共振作用等の流動作用に基づき防振効果を得るようにした流体封入式防振装置が知られており、自動車用のエンジンマウント等として広く採用されている。この流体封入式防振装置は、第１の取付部材と第２の取付部材を本体ゴム弾性体で弾性連結すると共に、第２の取付部材によって支持された仕切部材を挟んだ両側に非圧縮性流体を封入された受圧室と平衡室の各一方を形成し、更にそれら受圧室と平衡室の間の流体流動を許容するオリフィス通路を形成した構造を備えている。そして、振動入力時には、受圧室と平衡室の間に惹起される相対的な圧力変動に伴うオリフィス通路を通じての流体の流動作用に基づいて、防振効果が発揮されるようになっている。
【０００３】
ところで、自動車用エンジンマウント等においては、車両走行状況等に応じて入力される周波数や振幅の異なる複数種類の振動に対して、それぞれ、防振効果が要求されることとなるが、オリフィス通路を通じての流体の流動作用に基づく防振効果が有効に発揮される周波数域は狭いために、単一のオリフィス通路によって要求される防振特性を充分に達成することが難しい場合が多い。そこで、所定の周波数域にチューニングした第１のオリフィス通路と、より高周波数域にチューニングした第２のオリフィス通路の二つのオリフィス通路を受圧室と平衡室の間に並列的に形成し、それら二つのオリフィス通路を空気圧式や電磁式の外部の駆動機構を用いて作動される切換弁で選択的に連通／遮断させることによって、複数の乃至は広い周波数域の振動に対して防振効果を得るようにした流体封入式防振装置が提案されている。例えば、特開平９−３１０７３２号公報（特許文献１）に記載のものがそれである。
【０００４】
ところが、このような従来構造の流体封入式防振装置においては、複数のオリフィス通路の連通／遮断状態を変更して防振特性を切り換えるために、外部の駆動機構が必要となると共に、走行状態に応じた駆動機構による切換を制御するための制御システムも必要となり、装置の大型化・複雑化や、それに伴う製造コストの増大が避けられない状況であった。
【０００５】
特に、近年の自動車への小型化、軽量化の要求に対しては、外部の駆動機構による防振特性の切り換え構造では対応が困難であり、防振特性の切換えをコンパクト且つ軽量に実現することができる改良された流体封入式防振装置の提供が望まれていたのである。
【先行技術文献】
【特許文献】
【０００６】
【特許文献１】特開平９−３１０７３２号公報
【発明の概要】
【発明が解決しようとする課題】
【０００７】
本発明は、上述の事情を背景に為されたものであって、その解決課題は、外部の駆動機構を用いることなく、車両からの入力振動に応じた防振特性の切り換えを、部品点数の増加を伴うことなくコンパクト且つ軽量に実現することができる、新規な構造の流体封入式防振装置を提供することにある。
【課題を解決するための手段】
【０００８】
以下、このような課題を解決するために為された本発明の態様を記載する。なお、以下に記載の各態様において採用される構成要素は、可能な限り任意な組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【０００９】
すなわち、本発明に従う構造とされた流体封入式防振装置の第一の態様は、本体ゴム弾性体で弾性連結された第１の取付部材および第２の取付部材と、前記第２の取付部材によって支持された仕切部材と、前記仕切部材を挟んだ一方の側に位置して壁部の一部が該本体ゴム弾性体によって構成されて非圧縮性流体が封入された受圧室と、前記仕切部材を挟んだ他方の側に位置して壁部の一部が可撓性膜で構成されて前記非圧縮性流体が封入された平衡室と、前記仕切部材の外周部分を周方向に延びて前記受圧室と前記平衡室の間の流体流動を許容する第１のオリフィス通路と、前記仕切部材の中央部分に設けられた透孔に配設されて前記受圧室と前記平衡室の圧力が両側面に及ぼされる可動ゴム膜と、を備えている流体封入式防振装置において、前記仕切部材の前記透孔を画成する内周壁部には、前記第１のオリフィス通路を前記受圧室に連通する開口窓が貫設されている一方、前記可動ゴム膜の外周縁部には、前記平衡室側に向かって延びる筒状の周壁部が設けられており、該周壁部が前記開口窓内に嵌入されることなく前記仕切部材の前記内周壁部の内周面に対して重ね合わされて密接されることで該開口窓が該周壁部により覆蓋されていると共に、該周壁部の平衡室側端部が該仕切部材に固定されている一方、該周壁部の受圧室側端部が該可動ゴム膜の平衡室側への弾性変形に伴い該透孔の内周側に倒れ変形可能とされており、前記受圧室に所定値以上の圧力変動が生じた際に、前記可動ゴム膜の前記周壁部の受圧室側端部が前記透孔の内周側に倒れ変形して前記第１のオリフィス通路が前記開口窓を通じて前記受圧室に連通されるようになっているものである。
【００１０】
本態様によれば、受圧室の圧力変動に基づく可動ゴム膜の弾性変形を利用して、流体封入式防振装置の防振特性を切り替えることができる。具体的には、比較的振幅差の小さい高周波小振幅振動の入力時には、受圧室の圧力変動が所定値よりも小さいことから、可動ゴム膜の周壁部の受圧室側端部が仕切部材の内周壁部に密接したままとなり、開口窓が閉塞状態に維持される。従って、第１のオリフィス通路の開口窓を通じての受圧室への連通は発現されない。一方、比較的振幅差の大きな低周波大振幅振動の入力時には、受圧室の圧力変動が所定値以上となることから、可動ゴム膜の周壁部の受圧室側端部が透孔の内周側に倒れ変形して、第１のオリフィス通路の開口窓を通じた受圧室への連通が発現される。
【００１１】
例えば、第１のオリフィス通路の受圧室への連通を開口窓を通じてのみ実現するようにすれば、走行こもり音やアイドリング振動等の高周波小振幅の振動入力時には、第１のオリフィス通路は発現せず、可動ゴム膜の中央部分の受圧室側および平衡室側への弾性変形に基づき、それらの振動を吸収して低動ばねによる防振効果を発揮することができる。また、エンジンシェイク等の低周波大振幅の振動入力時には、可動ゴム膜の周壁部の受圧室側端部が倒れ変形して開口窓を通じて第１のオリフィス通路が受圧室側へ連通される。これにより、第１のオリフィス通路を通じた流体流動に基づく高減衰性能を発現することができる。
【００１２】
或いは、第１のオリフィス通路に開口窓以外に常時受圧室と連通する開口部を設けると共に、開口部を通じて受圧室に開口する第１のオリフィス通路の流路長さよりも開口窓を通じて受圧室に開口する第１のオリフィス通路の長さを短く設定することも可能である。この場合には、開口部を通じた第１のオリフィス通路の流体流動をアイドリング振動の一次モード振動（低次振動）にチューニングして、一次モード振動の入力時に、開口部を通じた第１のオリフィス通路の流体流動に基づき低動ばねによる防振効果を発現するようにする。そして、アイドリング振動の二次モード振動（高次振動）の入力時には、開口部を通じた長い第１のオリフィス通路の流動抵抗が大きくなることにより、受圧室の圧力変動が所定値以上となり、可動ゴム膜の周壁部の受圧室側端部が倒れ変形して開口窓を通じて第１のオリフィス通路が受圧室側へ連通される。これにより、開口窓を通じた第１のオリフィス通路、即ち、オリフィス長さが短く流動抵抗が小さくされた第１のオリフィス通路を通じた流体流動に基づく二次モード振動に対する低動ばねによる防振効果を発現するようにすることも可能である。
【００１３】
このように、本態様においては、受圧室の圧力変動に基づく可動ゴム膜の弾性変形を利用して、入力振動に応じた流体封入式防振装置の防振特性を切り替えることができる。従って、従来の如き、アクチュエータ等の外部機構を用いずに防振特性を切り替えることができ、広い周波数に対応した優れた防振効果を発現できる流体封入式防振装置を簡単な構造により軽量、コンパクト且つ低コストで実現できるのである。
【００１４】
なお、受圧室の圧力変動による可動ゴム膜の倒れ変形の程度をオリフィスの流動抵抗やチューニング周波等、目的とする防振特性を考慮して適宜に設定することが可能である。また、上述の例示からも明らかなように、第１のオリフィス通路は、受圧室に対して常時開口する開口部を通じて連通されているものや、開口窓を通じてのみ受圧室に連通されるものの、何れにおいても本発明の可動ゴム膜の弾性変形を利用した防振特性の切換え効果は発現可能であり、それらの何れの態様も本発明に含まれることは言うまでもない。
本発明の第二の態様は、前記第一の態様に記載の流体封入式防振装置において、前記周壁部の受圧室側端面が前記仕切部材に非当接状態とされており、前記周壁部の前記受圧室側端部が前記透孔の内周側に倒れ変形するに際しての該周壁部の該受圧室側端面の該仕切部材への干渉が回避されるようになっているものである。
本発明の第三の態様は、前記第一又は第二の態様に記載の流体封入式防振装置において、前記可動ゴム膜の前記周壁部の内周側には、前記透孔の内周側へ倒れ変形した該周壁部の該受圧室側端部が当接することで該可動ゴム膜の倒れ変形量を規制する当接部が前記仕切部材において設けられているものである。
【００１５】
本発明の第四の態様は、前記第一〜三の何れかの態様に記載の流体封入式防振装置において、前記仕切部材が、前記仕切部材の前記透孔を前記受圧室側および前記平衡室側の少なくとも一方から覆い、前記可動ゴム膜に対して隙間を隔てて対向配置されるカバー壁部を有しており、該カバー壁部に貫設された貫通孔により第２のオリフィス通路が形成されていると共に、該第２のオリフィス通路を通じて前記可動ゴム膜に対して前記受圧室および平衡室の少なくとも一方の圧力が及ぼされるようになっているものである。
【００１６】
本態様によれば、可動ゴム膜の弾性変形に伴い、第２のオリフィス通路を通じての流体流動が生ぜしめられることから、第２のオリフィス通路の径や長さを調節することにより、防振性能の設定を任意に行うことができる。
【００１７】
本発明の第五の態様は、前記第四の態様に記載の流体封入式防振装置において、前記仕切部材が、前記仕切部材の前記透孔を前記平衡室側から覆い、前記可動ゴム膜に対して隙間を隔てて対向配置される平衡室側カバー壁部を有しており、該平衡室側カバー壁部には、前記可動ゴム膜の前記周壁部の前記平衡室側端部が嵌め入れられて固定される嵌合溝が形成されている一方、該可動ゴム膜には、前記平衡室側カバー壁部に向かって突出するストッパ突起が設けられているものである。
【００１８】
本態様によれば、平衡室側カバー壁部に嵌合溝を設け、そこに可動ゴム膜の周壁部の平衡室側端部を嵌め入れるだけで、可動ゴム膜の周壁部の平衡室側端部を仕切部材に簡単に固定することができる。しかも、可動ゴム膜にストッパ突起が設けられていることから、可動ゴム膜の弾性変形に際して、ストッパ突起が平衡室側カバー壁部に当接することにより、可動ゴム膜の周壁部の過大な倒れ変形が阻止されて、可動ゴム膜の嵌合溝からの離脱を防止して、可動ゴム膜を透孔内に安定して位置決め保持できる。このように、本態様においては、受圧室の圧力変動に基づく可動ゴム膜の弾性変形を利用して、入力振動に応じた流体封入式防振装置の防振特性を切り替えることができる。従って、従来の如き、アクチュエータ等の外部機構を用いずに防振特性を切り替えることができ、広い周波数に対応した優れた防振効果を発現できる流体封入式防振装置を簡単な構造により軽量、コンパクト且つ低コストで実現できるのである。
【発明の効果】
【００１９】
本発明の流体封入式防振装置によれば、比較的振幅差の小さい高周波小振幅振動の入力時には、第１のオリフィス通路は発現せず、可動ゴム膜の中央部分の受圧室側および平衡室側への弾性変形に基づき、低動ばねによる防振効果を発揮することができる。また、エンジンシェイク等の低周波大振幅の振動入力時には、可動ゴム膜の周壁部の受圧室側端部が倒れ変形して開口窓を通じて第１のオリフィス通路が受圧室側へ連通され、流体流動に基づく高減衰性能を発現することができる。このように、アクチュエータ等の外部機構を用いずに防振特性を切り替えることができるので、広い周波数に対応した優れた防振効果を発現できる流体封入式防振装置を簡単な構造により軽量、コンパクト且つ低コストで実現できるのである。
【図面の簡単な説明】
【００２０】
【図１】本発明の第一の実施形態としての自動車用エンジンマウントの縦断面図であって、図３におけるＩ−Ｉ断面図。
【図２】図１に示された自動車用エンジンマウントにおいて第１のオリフィス通路の発現状態を示す説明図。
【図３】図１におけるＩＩＩ−ＩＩＩ断面図。
【図４】本発明の第二の実施形態としての自動車用エンジンマウントの縦断面図であって、図６におけるＩＶ−ＩＶ断面図。
【図５】図６におけるＶ−Ｖ断面図であって、本発明の第二の実施形態において第１のオリフィス通路の発現状態を示す説明図。
【図６】図４におけるＶＩ−ＶＩ断面図。
【図７】本発明の第二の実施形態における防振特性の切り替え手段を説明するための模式図。
【発明を実施するための形態】
【００２１】
以下、本発明を更に具体的に明らかにするために、本発明の実施形態について、図面を参照しつつ、詳細に説明する。
【００２２】
先ず、図１〜３には、本発明の流体封入式防振装置に係る第一の実施形態としての自動車用エンジンマウント１０が示されている。この自動車用エンジンマウント１０は、金属製の第１の取付部材１２と金属製の第２の取付部材１４が本体ゴム弾性体１６で連結された構造とされている。また、自動車用エンジンマウント１０は、第１の取付部材１２がパワーユニット側に取り付けられる一方、第２の取付部材１４がボデー側に取り付けられることにより、パワーユニットをボデーに対して、他の図示しないエンジンマウント等と協働して防振支持せしめるようになっている。かかる装着状態下、自動車用エンジンマウント１０には、パワーユニットの分担荷重の入力により本体ゴム弾性体１６が弾性変形することに伴って、第１の取付部材１２と第２の取付部材１４が図１中の上下方向に所定量だけ接近して相対変位せしめられると共に、防振すべき主たる振動が、第１の取付部材１２と第２の取付部材１４の間に、図１中の略上下方向に入力されることとなる。なお、本実施形態の自動車用エンジンマウント１０は、その装着状態下で、図１に示すように、マウント中心軸（第１及び第２の取付部材１２，１４の中心軸）が略鉛直方向とされることから、以下の説明中において、特に断りのない限り、図１中の上下方向を、上下方向とする。
【００２３】
より詳細には、第１の取付部材１２は、略逆円錐台のブロック形状を有していると共に、大径側端面から中心軸上に穿設されたねじ穴１８を備えている。このねじ穴１８に螺着される図示しない固定ボルトにより、第１の取付部材１２が、図示しないパワーユニットに固定されるようになっている。
【００２４】
一方、第２の取付部材１４は、大径円筒形状を有する筒状部２２を備えており、筒状部２２の上側開口部には、屈曲等して、径方向内方に突出するくびれ部２４が形成されていると共に、かかるくびれ部２４の開口周縁部には、径方向外方に広がるフランジ状部２６が一体形成されている。
【００２５】
そして、第１の取付部材１２は、第２の取付部材１４の軸方向上方に所定距離を隔てて略同一中心軸上に配設されており、これら第１の取付部材１２と第２の取付部材１４が、本体ゴム弾性体１６によって弾性連結されている。
【００２６】
かかる本体ゴム弾性体１６は、略円錐台形状とされており、軸方向上方に向かって次第に小径化するテーパ状の外周面を有している。そして、本体ゴム弾性体１６に対して、その小径側端面から軸方向下方へ差し込まれた状態で、第１の取付部材１２が加硫接着されている。また、本体ゴム弾性体１６の大径側端部外周面には、第２の取付部材１４の上端部内周面が加硫接着されている。要するに、本実施形態では、本体ゴム弾性体１６が、第１の取付部材１２の外周面と第２の取付部材１４の内周面に対して、それぞれ加硫接着された一体加硫成形品とされている。
【００２７】
而して、かかる本体ゴム弾性体１６の一体加硫成形品においては、第２の取付部材１４の軸方向上側の開口部が本体ゴム弾性体１６で流体密に閉塞されており、軸方向下方に向かって開口する内部凹所３０が形成されている。また、第２の取付部材１４の筒状部２２の内周面には、その略全面を覆うシールゴム層３２が、本体ゴム弾性体１６から一体的に延び出して形成されている。
【００２８】
さらに、この本体ゴム弾性体１６の一体加硫成形品における内部凹所３０には、軸方向下方の開口部から、仕切部材３６と、可撓性膜としてのダイヤフラム４０が嵌め入れられて組み付けられて支持されている。そして、内部凹所３０の開口（第２の取付部材１４の下側開口）がダイヤフラム４０で流体密に閉塞されて、本体ゴム弾性体１６とダイヤフラム４０の軸方向対向面間に流体室４２が画成されている。また、かかる流体室４２が仕切部材３６で仕切られて二分されており、仕切部材３６の上方には、壁部の一部が本体ゴム弾性体１６で構成された受圧室４４が形成されていると共に、仕切部材３６の下方には、壁部の一部がダイヤフラム４０で構成された平衡室４６が形成されている。
【００２９】
ここにおいて、ダイヤフラム４０は、変形容易なように弛みを持たせた薄肉円板形状のゴム膜で構成されており、その外周縁部には、略円環板形状を有するリング金具５０が加硫接着されている。そして、このリング金具５０が第２の取付部材１４の下端開口部に内挿されてかしめ固定されることにより、ダイヤフラム４０が第２の取付部材１４に固着されて、第２の取付部材１４の軸方向下方の開口部が流体密に閉塞されて流体室４２が形成されている。また、この流体室４２には、水やアルキレングリコール，ポリアルキレングリコール，シリコーン油等の非圧縮性流体が封入されている。なお、封入流体として、好適には、０．１Ｐａ・ｓ以下の低粘性流体が採用される。
【００３０】
また、仕切部材３６は、図１に示されているように、薄肉円環板形状の本体仕切板５２に対して、上面側に薄肉円板形状の受圧室側カバー壁部５４が重ね合わされて固定された複合構造を有している。なお、これら本体仕切板５２と受圧室側カバー壁部５４は、合成樹脂材料や金属材料等の硬質材で形成することが出来る。
【００３１】
また、本体仕切板５２の外周縁部には、外周面に開口して周方向に一周以下の長さで連続して延びる周溝５６が形成されている。この周溝５６の外周面への開口は、第２の取付部材１４への組付状態下において筒状部２２で覆蓋されている。また、周溝５６の周方向一方の端部において、仕切部材３６の後述する透孔６４を画成する内周壁部６５には、後述する透孔６４および貫通孔９０を通じて受圧室４４に開口する開口窓５８が貫設されていると共に、周溝５６の周方向他方の端部には、平衡室４６側に開口する連通孔６０が形成されている。これにより、仕切部材３６の外周部分を周方向に延びて受圧室４４と平衡室４６を相互に連通し得る第１のオリフィス通路６２が形成されている。なお、第１のオリフィス通路６２の通路長さや断面積等は、第１のオリフィス通路６２の内部を流動せしめられる流体の共振周波数が、防振すべきエンジンシェイクに相当する低周波数域となるようにチューニングされている。
【００３２】
また、本体仕切板５２の中央部分には、受圧室４４側に開口する円形の透孔６４が形成されている。また透孔６４の底部には、透孔６４を平衡室４６側から覆う平衡室側カバー壁部６６が、本体仕切板５２から延び出して一体的に形成されている。また平衡室側カバー壁部６６には、複数の貫通孔６８が板厚方向に貫設されており、本実施形態においては、各貫通孔６８の形状や配置等は受圧室側カバー壁部５４に設けられた後述する貫通孔８８と同形状とされている。さらに平衡室側カバー壁部６６の受圧室４４側の外周縁部には、後述する可動ゴム膜７４の周壁部７６の平衡室側端部８０が嵌め入れられて固定される嵌合溝７０が全周に亘って連続して設けられている。
【００３３】
さらに、本体仕切板５２の透孔６４と平衡室側カバー壁部６６に囲まれた収容凹所７２には、可動ゴム膜７４が収容配置されている。かかる可動ゴム膜７４は、全体として円板形状を有しており、特に本実施形態では、外周縁部の全周に亘って縦長の矩形断面で連続して延びる筒状の周壁部７６が一体形成されている。この周壁部７６は、可動ゴム膜７４の外周縁部の受圧室４４側および平衡室４６側の両側に向って突設されており、受圧室側端部７８よりも平衡室側端部８０においてその突出高さが大きくされている。また可動ゴム膜７４の中心部にも、受圧室側カバー壁部５４に向かって突出する中央突起８２と平衡室側カバー壁部６６に向かって突出するストッパ突起８４が形成されており、中央突起８２は受圧室側端部７８よりも、またストッパ突起８４は平衡室側端部８０よりもその突出高さが小さくされている。
【００３４】
そして、可動ゴム膜７４は、軸直角方向に広がるようにして収容凹所７２に組み付けられており、可動ゴム膜７４の周壁部７６の平衡室側端部８０が、平衡室側カバー壁部６６の嵌合溝７０に対して全周に亘って嵌め入れられて固定されている。そして、この組付状態下において、受圧室側カバー壁部５４および本体仕切板５２の平衡室側カバー壁部６６が、可動ゴム膜７４に対して隙間を隔てて対向配置されている。
【００３５】
一方、受圧室側カバー壁部５４は、薄肉の略円板形状を有しており、中央部分には、円形状を有する浅底の凹み部８６が形成されている。そして、かかる凹み部８６の底部には、複数（本実施形態においては、４つ）の貫通孔８８が板厚方向に貫設されている。各貫通孔８８は、略１／４周に亘って広がる略円弧形状とされており、４つの貫通孔８８が、凹み部８６の底部の周方向で略等しい間隔をもって配設されている。また、受圧室側カバー壁部５４の外周縁部内方には、透孔６４の周縁部を開口し且つ周方向に延びる略円弧形状の貫通孔９０が形成されている。このような構成とされた受圧室側カバー壁部５４は、本体仕切板５２に対して重ね合わされ固定されて、仕切部材３６を構成するようになっている。
【００３６】
この受圧室側カバー壁部５４が本体仕切板５２に組み付けられた状態下で、可動ゴム膜７４の周壁部７６が、本体仕切板５２側の嵌合溝７０に嵌め入れられて係合保持されていると共に、受圧室側カバー壁部５４と僅かな隙間を隔てて対向配置されている。これにより、可動ゴム膜７４の周壁部７６は、平衡室側端部８０が仕切部材３６に固定されている一方、受圧室側端部７８が透孔６４の内周側に倒れ変形可能とされた状態で、仕切部材３６に有利に保持されている。特に、本実施形態では、本体仕切板５２の透孔６４を画成する内周壁部６５においても当接保持されていることにより、一層強固に仕切部材３６に保持できるのである。また、これにより、可動ゴム膜７４の周壁部７６が仕切部材３６の内周壁部６５に密接されて、内周壁部６５に貫設された開口窓５８が可動ゴム膜７４の周壁部７６により覆蓋されて、周壁部７６が内周側に倒れ変形しない限り、受圧室４４と平衡室４６を相互に連通する第１のオリフィス通路６２が発現されないようになっている。
【００３７】
そして、可動ゴム膜７４は、その上面が、受圧室側カバー壁部５４に形成された貫通孔８８を通じて受圧室４４に露呈されており、この貫通孔８８を通じての露呈面に対して受圧室４４の圧力が直接的に及ぼされるようになっている。また、可動ゴム膜７４の下面は、本体仕切板５２の平衡室側カバー壁部６６に形成された貫通孔６８を通じて平衡室４６に露呈されており、この貫通孔６８を通じての露呈面に対して平衡室４６の圧力が直接的に及ぼされるようになっている。
【００３８】
このような構造とされた本実施形態の自動車用エンジンマウント１０によれば、例えばアイドリング振動や走行こもり音等の高周波小振幅振動が入力された場合には、第１のオリフィス通路６２は閉塞されていることから、受圧室４４と平衡室４６から可動ゴム膜７４の上下面に及ぼされる圧力差に基づいて上下方向に対して弾性変形される。すなわち、受圧室側カバー壁部５４に貫設された貫通孔８８により形成された受圧室側の第２のオリフィス通路９２および平衡室側カバー壁部６６に貫設された貫通孔６８により形成された平衡室側の第２のオリフィス通路９４を通じて、可動ゴム膜７４に対して受圧室４４および平衡室４６の圧力が及ぼされるようになっており、可動ゴム膜７４の上下方向に対する弾性変形により、受圧室４４に生じる所定値よりも小さな圧力変動を平衡室４６で吸収するようになっている。その結果、高周波小振幅振動の入力時における防振性能の向上が図られることとなる。
【００３９】
また一方、例えばエンジンシェイク等の低周波大振幅の振動が入力されることに伴い、受圧室４４に所定値以上の圧力変動が生ぜしめられた際には、受圧室４４と平衡室４６の圧力差に基づいてより大きな圧力が可動ゴム膜７４に及ぼされ、可動ゴム膜７４の中心部が平衡室４６側に大きく膨らむように弾性変形される。その結果、図２に示されているように、可動ゴム膜７４の周壁部７６の受圧室側端部７８が透孔６４の内周側となる可動ゴム膜７４の中心方向に倒れ込むような弾性変形が許容されることとなり、それに伴って開口窓５８が貫通孔９０を通じて受圧室４４に連通されて、第１のオリフィス通路６２が発現される。
【００４０】
この第１のオリフィス通路６２が発現すると、受圧室４４から平衡室４６への直接の流体流動が許容されることとなるから、第１のオリフィス通路６２を通じた流体流動に基づく低周波大振幅振動に対する高減衰効果が発揮される。なお、図２からも明らかなように、可動ゴム膜７４の周壁部７６の過度の倒れ変形は、周壁部７６の受圧室側端部７８と受圧室側カバー壁部５４の凹み部８６への当接によって規制されるようになっている。
【００４１】
以上述べてきたように、本実施形態によれば、受圧室４４の圧力変動に基づく可動ゴム膜７４の弾性変形を利用して、自動車用エンジンマウント１０の防振特性を切り替えることができる。具体的には、走行こもり音やアイドリング振動等の高周波小振幅の振動入力時には、受圧室４４の圧力変動が所定値よりも小さいことから、可動ゴム膜７４の周壁部７６の外周縁部が仕切部材３６の収容凹所７２の内周壁部６５に密接したままとなり、開口窓５８が閉塞状態に維持される。従って、第１のオリフィス通路６２の貫通孔９０を通じての受圧室４４への連通は発現されず、可動ゴム膜７４の中央部分の受圧室４４側および平衡室４６側への弾性変形に基づき、それらの振動を吸収して低動ばねによる防振効果を発揮することができる。一方、エンジンシェイク等の低周波大振幅の振動入力時には、受圧室４４の圧力変動が所定値以上となることから、可動ゴム膜７４の周壁部７６の受圧室側端部７８が可動ゴム膜７４の平衡室４６側への弾性変形に伴い透孔６４の内周側に倒れ変形して、第１のオリフィス通路６２の開口窓５８を通じた受圧室４４への連通が発現される。これにより、第１のオリフィス通路６２を通じた流体流動に基づく高減衰性能を発現することができる。
【００４２】
このように、本実施形態では、受圧室４４の圧力変動に基づく可動ゴム膜７４の弾性変形を利用して、入力振動に応じた自動車用エンジンマウント１０の防振特性を切り替えることができる。従って、従来の如き、アクチュエータ等の外部機構を用いずに防振特性を切り替えることができ、広い周波数に対応した優れた防振効果を発現できる流体封入式防振装置を簡単な構造により軽量、コンパクト且つ低コストで実現できるのである。
【００４３】
また、本実施形態では、可動ゴム膜７４の弾性変形に伴い、第２のオリフィス通路９２，９４を通じての流体流動が生ぜしめられることから、第２のオリフィス通路９２，９４の大きさや形状を調節することにより、防振性能の設定を任意に行うことができる。
【００４４】
さらに、本実施形態では、平衡室側カバー壁部６６に嵌合溝７０を設け、そこに可動ゴム膜７４の周壁部７６の平衡室側端部８０を嵌め入れるだけで、可動ゴム膜７４の周壁部７６の平衡室側端部８０を仕切部材３６に簡単に固定することができる。しかも、可動ゴム膜７４にストッパ突起８４が設けられていることから、可動ゴム膜７４の弾性変形に際して、ストッパ突起８４が平衡室側カバー壁部６６に当接することにより、可動ゴム膜７４の周壁部７６の過大な倒れ変形が阻止されて、可動ゴム膜７４の嵌合溝７０からの離脱を防止して、可動ゴム膜７４を透孔６４内に安定して位置決め保持できる。
【００４５】
次に、本発明の流体封入式防振装置に係る第二の実施形態としての自動車用エンジンマウント１００を例示するが、以下に挙げる実施形態において、第一の実施形態と同様な構造とされた部材および部位については、図中に、第一の実施形態と同一の符号を付することにより、それらの詳細な説明を省略する。
【００４６】
すなわち、図４〜６には、本発明の第二の実施形態としての自動車用エンジンマウント１００が示されている。かかる自動車用エンジンマウント１００は、（ｉ）第１のオリフィス通路６２に開口窓５８以外に常時受圧室４４と連通する開口部１０２を設けられている点と、（ｉｉ）開口部１０２を通じて受圧室４４に開口する第１のオリフィス通路６２の流路長さ：Ｌ１よりも貫通孔９０を通じて受圧室４４に開口する第１のオリフィス通路６２の流路長さ：Ｌ２を短く設定されている点に関して、第一の実施形態と異なる実施形態を示すものである。
【００４７】
より詳細には、第１の実施形態で述べたように、周溝５６の周方向一方の端部には、平衡室４６側に開口する連通孔６０が形成されている一方、周溝５６の周方向他方の端部には、連通孔１０４が設けられている。さらに連通孔１０４を覆う受圧室側カバー壁部５４には略矩形状の開口部１０２が形成されており、開口部１０２を介して連通孔１０４が受圧室４４側に常時開口されている。これにより、仕切部材３６の外周部分を周方向に延びて受圧室４４と平衡室４６を相互に常時連通する第１のオリフィス通路６２が構成されている。一方、第１の実施形態で述べた、貫通孔９０を通じて受圧室４４に開口する開口窓５８は、本実施形態においては、周溝５６の周方向の略中央部分に設けられている（図６参照）。これにより、可動ゴム膜７４の弾性変形により周壁部７６が内周側に倒れ変形すると、第１のオリフィス通路６２は開口窓５８を通じて受圧室４４に開口することとなり、第１のオリフィス通路６２の流路長さが、倒れ変形前のＬ１に対して略半分程度のＬ２に短くされる（図７参照）。
【００４８】
このように、本発明の第２の実施形態によれば、第１のオリフィス通路６２に開口窓５８以外に常時受圧室４４と連通する開口部１０２を設けると共に、可動ゴム膜７４の周壁部７６の倒れ変形を利用して、開口窓５８を通じて受圧室４４に開口させることにより第１のオリフィス通路６２の流路長さを短い寸法：Ｌ２に切り替えることができる。このような特性を利用して、例えば、開口部１０２を通じた長さＬ１の第１のオリフィス通路６２の流体流動をアイドリング振動の一次モード振動（低次振動）にチューニングして、一次モード振動の入力時に、開口部１０２を通じた第１のオリフィス通路６２の流体流動に基づき低動ばねによる防振効果を発現するようにすることができる。そして、アイドリング振動の二次モード振動（高次振動）の入力時には、開口部１０２を通じた長さＬ１の第１のオリフィス通路６２の流動抵抗が大きくなることにより、受圧室４４の圧力変動が所定値以上となり、可動ゴム膜７４の周壁部７６の受圧室側端部７８が透孔６４の内周側に倒れ変形して開口窓５８が受圧室４４に開口する。これにより、開口窓５８を通じて受圧室４４に開口する長さＬ２の第１のオリフィス通路６２、即ち、オリフィス長さが短く流動抵抗が小さくされた第１のオリフィス通路６２が発現され、長さＬ２の第１のオリフィス通路６２を通じた流体流動に基づく二次モード振動に対する低動ばねによる防振効果を発現するようにすることが可能となる。
【００４９】
以上、本発明の実施形態について詳述してきたが、これらはあくまでも例示であって、本発明は、これら実施形態における具体的な記載によって、何等、限定的に解釈されるものでない。
【００５０】
例えば、開口窓５８を開口させる程度に可動ゴム膜７４の周壁部７６を倒れ変形させるのに必要な受圧室４４の圧力変動の所定値の設定は、オリフィス通路６２，９２，９４の流動抵抗やチューニング周波等、目的とする防振特性を考慮して適宜に設定することが可能である。また、上述の例示からも明らかなように、第１のオリフィス通路６２は、受圧室４４に対して常時開口する開口部１０２を通じて連通されているものや、開口窓５８を通じてのみ受圧室４４に連通されるものの、何れにおいても本発明の可動ゴム膜７４の弾性変形を利用した防振特性の切換え効果は発現可能であり、それらの何れの態様も本発明に含まれることは言うまでもない。
【００５１】
また、可動ゴム膜７４の中央突起８２は、受圧室側カバー壁部５４に当接されていたが、隙間を隔てて対向配置されていてもよい。これにより、可動ゴム膜７４の中央部での上下方向での微小変形が許容されて、防振効果の向上が期待できる。また、受圧室側カバー壁部５４は、中央部分に凹み部８６が無い平らな円板形状であってもよい。
【００５２】
その他、一々列挙はしないが、本発明は、当業者の知識に基づいて種々なる変更，修正，改良等を加えた態様において実施され得るものであり、また、そのような実施態様が、本発明の趣旨を逸脱しない限り、何れも、本発明の範囲内に含まれるものであることは、言うまでもない。
【符号の説明】
【００５３】
１０：自動車用エンジンマウント（流体封入式防振装置）、１２：第１の取付部材、１４：第２の取付部材、１６：本体ゴム弾性体、３６：仕切部材、４０：ダイヤフラム（可撓性膜）、４４：受圧室、４６：平衡室、５４：受圧室側カバー壁部（カバー壁部）、５８：開口窓、６２：第１のオリフィス通路、６４：透孔、６５：内周壁部、６６：平衡室側カバー壁部（カバー壁部）、６８：貫通孔、７０：嵌合溝、７４：可動ゴム膜、７６：周壁部、７８：受圧室側端部、８０：平衡室側端部、８４：ストッパ突起、８８：貫通孔、９２：受圧室側の第２のオリフィス通路（第２のオリフィス通路）、９４：平衡室側の第２のオリフィス通路（第２のオリフィス通路）
【図１】
0005926108.tif 000002
【図２】
0005926108.tif 000003
【図３】
0005926108.tif 000004
【図４】
0005926108.tif 000005
【図５】
0005926108.tif 000006
【図６】
0005926108.tif 000007
【図７】
0005926108.tif 000008